(57)【要約】【課題】内容物の不用意な落下を確実に防止できる構造の簡素化されたＰＴＰ包装シート用の収納ケースを提案する。【解決手段】ＰＴＰ包装シート１を装入する収納空間を有する容器本体２と、この容器本体２に合わさって該収納空間を閉じる蓋体３とを備えたＰＴＰ包装シートの収納ケースにおいて、前記蓋体３に、前記容器本体２の収納空間に配置されたＰＴＰ包装シートの収納凸部１ａ１を露出させ、そこを通して該収納凸部１ａ１を押圧して内容物の押し出しを可能とする複数の窓孔４を設け、前記容器本体２に、前記収納凸部１ａ１より押し出された内容物を受け止めるとともに、受け止められた内容物を、該容器本体２の周壁２ａに設けられた取り出し部７へ誘導する溝部６を設ける。【選択図】図１
2014148325.tif 000002
【特許請求の範囲】
【請求項１】
ＰＴＰ包装シートを装入する収納空間を有する容器本体と、この容器本体に合わさって該収納空間を閉じる蓋体とを備えたＰＴＰ包装シートの収納容器であって、
前記蓋体に、前記容器本体の収納空間に配置されたＰＴＰ包装シートの収納凸部を露出させ、そこを通して該収納凸部を押圧して内容物の押し出しを可能とする複数の窓孔を設け、
前記容器本体に、前記収納凸部より押し出された内容物を受け止めるとともに、受け止められた内容物を、該容器本体の周壁に設けられた取り出し部へ誘導する溝部を設けたことを特徴とするＰＴＰ包装シートの収納ケース。
【請求項２】
前記取り出し部は、前記溝部につながるゲートと、このゲートを取り囲んで前記容器本体の周壁に一体連結するとともに、その上部開放端を取り出し口とする側壁と、この側壁の下端および容器本体の底壁に一体連結し内容物の受け座を形成する底壁からなり、
前記底壁は、前記ゲートから離れる向きに競り上がる傾斜を有し、前記周壁の上部開放端は、該底壁が最も競り上がった部位に対応する部位が最も低くなる前記傾斜とは逆向きの傾斜を有することを特徴とする請求項１に記載したＰＴＰ包装シートの収納ケース。
【請求項３】
前記蓋体または前記側壁は、該蓋体または該側壁にヒンジを介して揺動可能に連結し前記側壁の上部開放端に合わさって取り出し部を密封状態に保持する密封蓋を有することを特徴とする請求項２に記載したＰＴＰ包装シートの収納ケース。
【発明の詳細な説明】
【技術分野】
【０００１】
本発明は、錠剤やカプセル等を包装したＰＴＰ（press through pack）包装シートの収納ケースに関するものである。
【背景技術】
【０００２】
ＰＴＰ包装シートは、錠剤やカプセル等の内容物を収納する収納空間が形成された複数の収納凸部を備えた合成樹脂製のシートと、この合成樹脂製のシートの裏面に貼着され、内容物が収納された収納空間を密封するアルミ製のシートにて構成されるものであって、錠剤やカプセルを入れる包装物として多用されている。
【０００３】
ＰＴＰ包装シートの収納空間内に収納された内容物は、収納凸部に押圧力を加えて該凸部を押し潰すとともにアルミ製のシートを破って取り出すのが普通であるが、ＰＴＰ包装シートはそれ自体腰がないため内容物が取り出しにくい不具合がある。
【０００４】
また、ＰＴＰ包装シートを携帯する場合には誤って凸部を押し潰してしまうことがある。さらに、ＰＴＰ包装シートには、ミシン目状の切り取り線が設けられており、それに沿って切り取ることで包装された内容物を小分けすることができるようになっているためＰＴＰ包装シートに包装されたまま内容物を使用してしまうことも懸念されるとともに、内容物が規定通りに使用されたかどうかわからなくなる場合もある。
【０００５】
このため、従来は、規定の個数だけ収納されたＰＴＰ包装シートを装填空間にそのまま入れ込み、その状態で内容物のみの取り出しを可能とした、例えば、特許文献１にみられるような収納ケースが使用されている。
【先行技術文献】
【特許文献】
【０００６】
【特許文献１】特開２００２−２５５２５６号公報
【０００７】
しかしながら、上記従来の収納ケースにあっては、収納凸部を押圧して内容物を取り出すとき、内容物を手の平で直に受ける構造になっており、しかも、内容物の取り出し口は、押圧部位毎に設けられているため、取り出しに係る内容物を誤って落としてしまうこともあり、この点に関して未だ改善の余地が残されている。
【発明の開示】
【発明が解決しようとする課題】
【０００８】
本発明の課題は、ＰＴＰ包装シートに収納された内容物を簡便な操作のもとに確実に取り出すことができ、かつ、構造の簡素化された収納ケースを提案するところにある。
【課題を解決するための手段】
【０００９】
本発明は、ＰＴＰ包装シートを装入する収納空間を有する容器本体と、この容器本体に合わさって該収納空間を閉じる蓋体とを備えたＰＴＰ包装シートの収納容器であって、前記蓋体に、前記容器本体の収納空間に配置されたＰＴＰ包装シートの収納凸部を露出させ、そこを通して該収納凸部を押圧して内容物の押し出しを可能とする複数の窓孔を設け、前記容器本体に、前記収納凸部より押し出された内容物を受け止めるとともに、受け止められた内容物を、該容器本体の周壁に設けられた取り出し部へ誘導する溝部を設けたことを特徴とするＰＴＰ包装シートの収納ケースである。
【００１０】
上記の構成からなるＰＴＰ包装シートの収納ケースにおいては、前記取り出し部は、前記溝部につながるゲートと、このゲートを取り囲んで前記容器本体の周壁に一体連結するとともに、その上部開放端を取り出し口とする側壁と、この側壁の下端および容器本体の底壁に一体連結し内容物の受け座を形成する底壁からなり、前記底壁は、前記ゲートから離れる向きに競り上がる傾斜を有し、前記周壁の上部開放端は、該底壁が最も競り上がった部位に対応する部位が最も低くなる前記傾斜とは逆向きの傾斜を有することが好ましい。
【００１１】
また、前記蓋体または前記側壁は、該蓋体または該側壁にヒンジを介して揺動可能に連結し前記側壁の上部開放端に合わさって取り出し部を密封状態に保持する密封蓋を設けるのが望ましい。
【発明の効果】
【００１２】
上記の構成からなるＰＴＰ包装シートの収納ケースによれば、記蓋体に、容器本体の収納空間に配置されたＰＴＰ包装シートの収納凸部を露出させ、そこを通して該収納凸部を押圧して内容物の押し出しを可能とする複数の窓孔を設け、容器本体に、収納凸部より押し出された内容物を受け止めるとともに、受け止められた内容物を、該容器本体の周壁に設けられた取り出し部へ誘導する溝部を設けるようにしたため、任意の収納凸部から内容物を押し出す際に直接手の平で受け止める面倒な動作は必要がなく、常に一定の箇所から内容物を取り出すことが可能であり、内容物の落下を確実に防止することができる。
【００１３】
また、本発明のＰＴＰ包装シートの収納ケースによれば、取り出し部を、溝部につながるゲートと、このゲートを取り囲んで容器本体の周壁に一体連結するとともに、その上部開放端を取り出し口とする側壁と、この側壁の下端および容器本体の周壁に一体連結し内容物の受け座を形成する底壁から構成し、底壁に、前記ゲートから離れる向きに競り上がる傾斜を形成し、側壁の上部開放端に、該底壁が最も競り上がった部位に対応する部位が最も低くなる該傾斜とは逆向きの傾斜を形成するようにしたため、取り出し部からの内容物の取り出しが容易になる。
【００１４】
さらに、本発明のＰＴＰ包装シートの収納ケースによれば、蓋体または側壁に、該蓋体または該側壁にヒンジを介して揺動可能に連結し側壁の上部開放端に合わさって取り出し部を密封状態に保持する密封蓋を設けたため、該取り出し部を通して収納空間へ塵等の異物が侵入するのを確実に防止し得る。
【図面の簡単な説明】
【００１５】
【図１】本発明にしたがう収納ケースの実施の形態を模式的に示した外観斜視図である。
【図２】図１に示した収納ケースにおいて蓋体を締めた状態で示した図である。
【図３】図１に示した収納ケースの要部の断面を示した図である。
【図４】本発明にしたがう収納ケースの他の実施の形態を模式的に示した図である。
【図５】本発明にしたがう収納ケースのさらに他の実施の形態を模式的に示した図である。
【発明を実施するための最良の形態】
【００１６】
以下、図面を参照して本発明をより具体的に説明する。
図１は本発明に従う収納ケースの実施の形態を、ＰＴＰ包装シートとともに模式的に示した外観斜視図であり、図２は、図１に示した収納ケースにおいて蓋体を閉じた状態を模式的に示した外観斜視図である。
【００１７】
図における符号１は、ＰＴＰ包装シートである。このＰＴＰ包装シート１は、錠剤やカプセル等の内容物を内側に収納する複数の凸部（以下、この凸部を収納凸部１ａ１と記す）を備えた合成樹脂製のシート１ａと、この合成樹脂製のシート１ａの裏面に貼着され、内容物が収納された収納凸部１ａ１を密封するアルミの如き薄い金属製のシート１ｂにて構成されている。
【００１８】
また、２は、ＰＴＰ包装シート１を装入する容器本体である。この容器本体２は、ＰＴＰ包装シート１の形状に適合する平面形状を区画形成する周壁２ａと、周壁２ａの下端に一体連結する底壁２ｂから構成されており、その内側には上向きに開放された凹所を形成してそこにＰＴＰ包装シート１を配置する収納空間が形成されている。
【００１９】
また、３は、容器本体２の短辺２ａ１にヒンジ３ａを介して揺動可能に一体連結する蓋体である。この蓋体３を、周壁２ａの上部開放端に合致させることによって容器本体２の収納空間を閉じることができるようになっている。蓋体３の裏面には、収納空間を閉じたとき、外表面に設けられたＬ字形状をなすリブｒが周壁２ａの内壁面に弾性接触して容器本体２に対する連係強度（蓋体３を引き上げてスムーズに開放できる程度の強度）を高めて該蓋体３の不用意な開放を防止する嵌合片ｈが設けられている。
【００２０】
蓋体３は、ここでは、ヒンジ３ａを介して揺動可能に一体連結したものを例として示したが、容器本体２からの着脱を可能とする構造のものを適用することも可能であり、この点については限定されない。
【００２１】
また、４は、蓋体３に設けられた複数の窓孔である。この窓孔４は、ＰＴＰ包装シート１の収納凸部１ａ１に対応して設けられており、該収納凸部１ａ１をそれぞれ少なくとも面一状態で窓孔４から露出させ、そこを通して該収納凸部１ａ１を押圧することによりＰＴＰ包装シート１からの内容物の取り出しを可能としている。
【００２２】
５は、容器本体２の収納空間に設けられ、ＰＴＰ包装シート１を載置する台座である。この台座５は、ＰＴＰ包装シート１の収納凸部１ａ１を避けるように設けられたＥ字状をなすものを例として示してある。この台座５は、容器本体２の成形（射出成形等）時に該容器本体２の外側からの肉抜きにより一体的に設けることができるが、別部材を組み合わせて台座５を形成してもよい。
【００２３】
６は、台座５によって区画され、ＰＴＰ包装シート１の収納凸部１ａ１に面して設けられた２列の溝部である。この溝部６は、容器本体２の底壁２ｂを底部としており、収納凸部１ａ１より押し出された内容物を受け止めるとともに、受け止められた内容物を、後述する取り出し部へと誘導するものであって、容器本体２の短辺２ａ２側に向けて開放された開放部６ａを有している。溝部６はＰＴＰ包装シート１の収納凸部１ａ１に合わせて２列設け、その中央部でＰＴＰ包装シート１を支持するものを例として示したが、収納空間内でＰＴＰ包装シート１を確実に支持しておくことができるものであれば、溝部を２列にする必要はなく、適宜変更が可能である。
【００２４】
７は、容器本体２の周壁２ａの短辺２ａ２側に設けられた取り出し部である。この取り出し部７は、周壁２ａを切り欠くことによって形成され、溝部６の開放部６ａにつながるゲート７ａと、このゲート７ａを取り囲んで容器本体２の周壁２ａに一体連結するとともに、その上部開放端７ｂを取り出し口とする側壁７ｃと、この側壁７ｃの下端および容器本体２の底壁２ａに一体連結して内容物の受け座を形成する底壁７ｄから構成されている。
【００２５】
取り出し部７の底壁７ｄは、図３にその要部の断面を示すように、ゲート７ａから離れる向きに競り上がる傾斜を有しており、上部開放端７ｂは、底壁７ｄが最も競り上がった部位に対応する部位が最も低くなるように、上記傾斜とは逆向きの傾斜を有しており、この傾斜により取り出し部７からの内容物の取り出しを容易にしている。
【００２６】
さらに、８は、蓋体３の短辺３ｂにヒンジ３ｃを介して揺動可能に設けられた密封蓋である。この密封蓋８は、取り出し部７の上部開放端７ｂに合わさって該取り出し部７を密封状態に保持するものであり、これにより、取り出し口からの塵等の異物の侵入を防止する。密封蓋８には、その開放を容易にするため、縁部において突出する摘み８ａが設けられており、その裏面には、密封姿勢を維持するため、側壁７ｃの内壁面に弾性接触する嵌合片８ｂが設けられている。
【００２７】
ＰＴＰ包装シート１をセットした収納ケースにつき、窓孔４を通して収納凸部１ａ１を押圧すると該収納凸部１ａ１から押し出された内容物は、いずれの収納凸部１ａ１であろうとも、溝部６で必ず受け止められる。
【００２８】
内容物が溝部６において受け止められた状態で密封蓋８を開放するとともに、取り出し部７が低くなるように収納ケースそのものを傾けると、溝部６に存在する内容物は、底壁２ａ上を滑走して開放部６ａ、ゲート７ａを経て取り出し部７へ至ることになり、これにより、該内容物は、上部開放端７ｂから簡単、かつ確実に取り出すことができる。
【００２９】
本発明にしたがう収納ケースは、基本的には、合成樹脂を適用して成形されるものであり、台座５の肉抜きによる容器本体２との一体化、蓋体３、密封蓋８の容器本体２との一体化を併せて行うことにより単一物として構成することが可能であり、部品点数が少なくてすむだけでなく構造の簡素化を図ることができる利点がある。
【００３０】
図４は、本発明にしたがう収納ケースの他の実施の形態を示した図である。密封蓋８は、図４に示すように、取り出し部７の上部開放端７ｂにヒンジ７ｅを介して揺動可能に一体連結しておくこともできる。また、密封蓋８は、図示はしないが、取り出し部７において着脱自在に係合する構造のものを適用することも可能であり、この点については限定されない。
【００３１】
台座５に局所的に凹所を形成するような、図５に示す如き段部９、１０を設けておき、この段部９、１０にＰＴＰ包装シート１の縁部を適合させて位置決めすることより、サイズの小さなＰＴＰ包装シートを収納することもでき、この場合も、収納凸部１ａ１が窓孔４に適合している限り内容物の確実な取り出しが可能となる。
【産業上の利用可能性】
【００３２】
本発明によれば、内容物の不用意な落下を回避し得る、構造の簡素化されたＰＴＰ包装シートの収納ケースが提供できる。
【符号の説明】
【００３３】
１      ＰＴＰ包装シート
１ａ    合成樹脂製のシート
１ａ１  収納凸部
１ｂ    アルミ製のシート
２      容器本体
２ａ    周壁
２ｂ    底壁
３      蓋体
３ａ    ヒンジ
３ｂ    短辺
３ｃ    ヒンジ
４      窓孔
５      台座
６      溝部
７      取り出し部
７ａ    ゲート
７ｂ    上部開放端
７ｃ    側壁
７ｄ    底壁
７ｅ    ヒンジ
８      密封蓋
８ａ    摘み
９      段部
１０    段部
ｒ      リブ
ｈ      嵌合片
【図１】
2014148325.tif 000003
【図２】
2014148325.tif 000004
【図３】
2014148325.tif 000005
【図４】
2014148325.tif 000006
【図５】
2014148325.tif 000007